(57)【要約】【課題】遠隔会議において、会議参加者のグループの出力を差別化し、ユーザによる、自身が参加するグループと他のグループとの判別を容易にする。【解決手段】会議に参加する複数のユーザの端末装置２００により取得された音声データを受信する送受信部２３０と、自装置を含む複数の端末装置２００の各ユーザを、一人以上のユーザを含む複数のグループに分けたグループ情報を保持するグループ情報保持部２４０と、グループ情報保持部２４０により保持されたグループ情報に基づくグループごとに送受信部２３０により受信された音声データによる音声の出力の音量を独立に制御する音量制御部２５０と、を備える。【選択図】図３
2020028084.tif 000002
【特許請求の範囲】
【請求項１】
会議に参加する複数のユーザの端末装置により取得された音声データを受信する音声データ受信手段と、
自装置を含む複数の前記端末装置の各ユーザを、一人以上のユーザを含む複数のグループに分けたグループ情報を保持するグループ情報保持手段と、
前記グループ情報保持手段により保持された前記グループ情報に基づくグループごとに前記音声データ受信手段により受信された音声データによる音声の出力の音量を独立に制御する音量制御手段と、
を備えることを特徴とする、遠隔会議システム。
【請求項２】
前記音量制御手段は、前記グループ情報に基づくグループのうち、少なくとも前記自装置のユーザが含まれるグループと他のグループとで、前記音声データ受信手段により受信された音声データによる音声を異なる音量に制御することを特徴とする、請求項１に記載の遠隔会議システム。
【請求項３】
前記グループ情報に基づくグループごとに、個別に音量を設定する操作を受け付ける音量設定操作受け付け手段をさらに備え、
前記音量制御手段は、前記音量設定操作受け付け手段により受け付けた設定操作に応じて、各グループにおける音声データによる音声の音量を制御することを特徴とする、請求項２に記載の遠隔会議システム。
【請求項４】
前記グループ情報に基づくグループのうち、少なくとも前記自装置のユーザが含まれるグループと他のグループとで、前記音量設定操作受け付け手段により受け付ける操作によって設定可能な音量の範囲が異なることを特徴とする、請求項３に記載の遠隔会議システム。
【請求項５】
複数の端末装置により取得された画像データを受信する画像データ受信手段と、
前記グループ情報保持手段により保持された前記グループ情報に基づくグループごとに前記画像データ受信手段により受信された画像データによる画像の表示態様を独立に制御し、少なくとも前記自装置のユーザが含まれるグループと他のグループとで、前記画像データ受信手段により受信された画像データによる画像を異なる表示態様で表示手段に表示させる画像制御手段と、
をさらに備えることを特徴とする、請求項１に記載の遠隔会議システム。
【請求項６】
前記グループ情報に基づくグループごとに、個別に画像の表示態様を設定する操作を受け付ける表示態様設定操作受け付け手段をさらに備え、
前記画像制御手段は、前記表示態様設定操作受け付け手段により受け付けた設定操作に応じて、各グループにおける画像データによる画像の表示態様を制御することを特徴とする、請求項５に記載の遠隔会議システム。
【請求項７】
前記グループ情報に基づくグループのうち、少なくとも前記自装置のユーザが含まれるグループと他のグループとで、前記表示態様設定操作受け付け手段により受け付ける操作によって設定可能な表示態様の範囲が異なることを特徴とする、請求項６に記載の遠隔会議システム。
【請求項８】
会議に参加する複数のユーザの音声データを受信する受信手段と、
前記複数のユーザに対し、一人以上のユーザを含むグループを設定するグループ設定手段と、
前記グループ設定手段により設定された複数の前記グループのうち、少なくとも自身が含まれるグループのユーザの音声と他のグループのユーザの音声とを異なる音量で出力する音声出力手段と、
を備えることを特徴とする、端末装置。
【請求項９】
前記グループ設定手段によりグループが設定されると、設定されたグループごとに、個別に音量を設定可能となる音量設定手段をさらに備えることを特徴とする、請求項８に記載の端末装置。
【請求項１０】
前記グループ設定手段により設定されたグループのうち、少なくとも自装置のユーザが含まれるグループと他のグループとで、前記音量設定手段による設定可能な音量の範囲が異なることを特徴とする、請求項９に記載の端末装置。
【請求項１１】
会議に参加する複数のユーザの画像データを受信する受信手段と、
前記複数のユーザに対し、一人以上のユーザを含むグループを設定するグループ設定手段と、
前記グループ設定手段により設定された複数の前記グループのうち、少なくとも自身が含まれるグループのユーザの画像と他のグループのユーザの画像とを異なる表示態様で表示する表示手段と、
を備えることを特徴とする、端末装置。
【請求項１２】
前記グループ設定手段によりグループが設定されると、設定されたグループごとに、個別に画像の表示態様を設定可能となる画像設定手段をさらに備えることを特徴とする、請求項１１に記載の端末装置。
【請求項１３】
前記グループ設定手段により設定されたグループのうち、少なくとも自装置のユーザが含まれるグループと他のグループとで、前記画像設定手段による設定可能な画像の表示態様の範囲が異なることを特徴とする、請求項１２に記載の端末装置。
【発明の詳細な説明】
【技術分野】
【０００１】
本発明は、遠隔会議システムおよび端末装置に関する。
【背景技術】
【０００２】
電話回線等を用いて接続された会議参加者の端末装置を介してオンライン会議が行われることがある。また一般に、会議では、会議参加者の一部がサブグループを作成して、他のサブグループの議論や会議全体の議論の流れから離れた固有の意見交換が行われる場合がある。下記の特許文献１には、電話会議において、会議参加者によるプライベートなサブグループやパブリックなサブグループを作成する従来技術が開示されている。
【先行技術文献】
【特許文献】
【０００３】
【特許文献１】米国特許出願公開第２０１１／００６９６４３Ａ１号明細書
【発明の概要】
【発明が解決しようとする課題】
【０００４】
オンラインで行われる遠隔会議においてサブグループを作成した場合に、会議参加者にとって自身が参加するサブグループ以外のサブグループの音声や映像が邪魔になる場合があった。
【０００５】
本発明は、オンラインで行われる遠隔会議において単に会議参加者のサブグループの作成を可能とする構成と比較して、各サブグループの出力を差別化し、ユーザによる、自身が参加するサブグループと他のサブグループとの判別を容易にする手段を提供することを目的とする。
【課題を解決するための手段】
【０００６】
請求項１に係る本発明は、
会議に参加する複数のユーザの端末装置により取得された音声データを受信する音声データ受信手段と、
自装置を含む複数の前記端末装置の各ユーザを、一人以上のユーザを含む複数のグループに分けたグループ情報を保持するグループ情報保持手段と、
前記グループ情報保持手段により保持された前記グループ情報に基づくグループごとに前記音声データ受信手段により受信された音声データによる音声の出力の音量を独立に制御する音量制御手段と、
を備えることを特徴とする、遠隔会議システムである。
請求項２に係る本発明は、
前記音量制御手段は、前記グループ情報に基づくグループのうち、少なくとも前記自装置のユーザが含まれるグループと他のグループとで、前記音声データ受信手段により受信された音声データによる音声を異なる音量に制御することを特徴とする、請求項１に記載の遠隔会議システムである。
請求項３に係る本発明は、
前記グループ情報に基づくグループごとに、個別に音量を設定する操作を受け付ける音量設定操作受け付け手段をさらに備え、
前記音量制御手段は、前記音量設定操作受け付け手段により受け付けた設定操作に応じて、各グループにおける音声データによる音声の音量を制御することを特徴とする、請求項２に記載の遠隔会議システムである。
請求項４に係る本発明は、
前記グループ情報に基づくグループのうち、少なくとも前記自装置のユーザが含まれるグループと他のグループとで、前記音量設定操作受け付け手段により受け付ける操作によって設定可能な音量の範囲が異なることを特徴とする、請求項３に記載の遠隔会議システムである。
請求項５に係る本発明は、
複数の端末装置により取得された画像データを受信する画像データ受信手段と、
前記グループ情報保持手段により保持された前記グループ情報に基づくグループごとに前記画像データ受信手段により受信された画像データによる画像の表示態様を独立に制御し、少なくとも前記自装置のユーザが含まれるグループと他のグループとで、前記画像データ受信手段により受信された画像データによる画像を異なる表示態様で表示手段に表示させる画像制御手段と、
をさらに備えることを特徴とする、請求項１に記載の遠隔会議システムである。
請求項６に係る本発明は、
前記グループ情報に基づくグループごとに、個別に画像の表示態様を設定する操作を受け付ける表示態様設定操作受け付け手段をさらに備え、
前記画像制御手段は、前記表示態様設定操作受け付け手段により受け付けた設定操作に応じて、各グループにおける画像データによる画像の表示態様を制御することを特徴とする、請求項５に記載の遠隔会議システムである。
請求項７に係る本発明は、
前記グループ情報に基づくグループのうち、少なくとも前記自装置のユーザが含まれるグループと他のグループとで、前記表示態様設定操作受け付け手段により受け付ける操作によって設定可能な表示態様の範囲が異なることを特徴とする、請求項６に記載の遠隔会議システムである。
請求項８に係る本発明は、
会議に参加する複数のユーザの音声データを受信する受信手段と、
前記複数のユーザに対し、一人以上のユーザを含むグループを設定するグループ設定手段と、
前記グループ設定手段により設定された複数の前記グループのうち、少なくとも自身が含まれるグループのユーザの音声と他のグループのユーザの音声とを異なる音量で出力する音声出力手段と、
を備えることを特徴とする、端末装置である。
請求項９に係る本発明は、
前記グループ設定手段によりグループが設定されると、設定されたグループごとに、個別に音量を設定可能となる音量設定手段をさらに備えることを特徴とする、請求項８に記載の端末装置である。
請求項１０に係る本発明は、
前記グループ設定手段により設定されたグループのうち、少なくとも自装置のユーザが含まれるグループと他のグループとで、前記音量設定手段による設定可能な音量の範囲が異なることを特徴とする、請求項９に記載の端末装置である。
請求項１１に係る本発明は、
会議に参加する複数のユーザの画像データを受信する受信手段と、
前記複数のユーザに対し、一人以上のユーザを含むグループを設定するグループ設定手段と、
前記グループ設定手段により設定された複数の前記グループのうち、少なくとも自身が含まれるグループのユーザの画像と他のグループのユーザの画像とを異なる表示態様で表示する表示手段と、
を備えることを特徴とする、端末装置である。
請求項１２に係る本発明は、
前記グループ設定手段によりグループが設定されると、設定されたグループごとに、個別に画像の表示態様を設定可能となる画像設定手段をさらに備えることを特徴とする、請求項１１に記載の端末装置である。
請求項１３に係る本発明は、
前記グループ設定手段により設定されたグループのうち、少なくとも自装置のユーザが含まれるグループと他のグループとで、前記画像設定手段による設定可能な画像の表示態様の範囲が異なることを特徴とする、請求項１２に記載の端末装置である。
【発明の効果】
【０００７】
請求項１の発明によれば、オンラインで行われる遠隔会議において単にグループ（サブグループ）の作成を可能とする構成と比較して、各グループの出力を差別化し、ユーザによる、自身が参加するグループと他のグループとの判別を容易にすることができる。
請求項２の発明によれば、オンラインで行われる遠隔会議において単にグループが設定される構成と比較して、音量の差異に基づき、グループを判別することが可能となる。
請求項３の発明によれば、オンラインで行われる遠隔会議において単にグループが設定される構成と比較して、自身が参加するグループの音声を他のグループの音声よりも認識しやすくすることができる。
請求項４の発明によれば、オンラインで行われる遠隔会議において単にグループが設定される構成と比較して、音量の設定によりグループの判別を容易にし、自身が参加するグループの音声を他のグループの音声よりも認識しやすくすることができる。
請求項５の発明によれば、オンラインで行われる遠隔会議において単にグループが設定される構成と比較して、画像の表示態様の差異に基づき、グループを判別することが可能となる。
請求項６の発明によれば、オンラインで行われる遠隔会議において単にグループが設定される構成と比較して、画像の表示態様の差異に基づき、自身が参加するグループの画像を他のグループの画像よりも認識しやすくすることができる。
請求項７の発明によれば、オンラインで行われる遠隔会議において単にグループが設定される構成と比較して、画像の表示態様の設定によりグループの判別を容易にし、自身が参加するグループの画像を他のグループの画像よりも認識しやすくすることができる。
請求項８の発明によれば、オンラインで行われる遠隔会議において単にグループの作成を可能とする構成と比較して、各グループの出力音声を差別化し、ユーザによる、自身が参加するグループと他のグループとの判別を容易にすることができる。
請求項９の発明によれば、オンラインで行われる遠隔会議において単にグループが設定される構成と比較して、自身が参加するグループの音声を他のグループの音声よりも認識しやすくすることができる。
請求項１０の発明によれば、オンラインで行われる遠隔会議において単にグループが設定される構成と比較して、音量の設定によりグループの判別を容易にし、自身が参加するグループの音声を他のグループの音声よりも認識しやすくすることができる。
請求項１１の発明によれば、オンラインで行われる遠隔会議において単にグループの作成を可能とする構成と比較して、各グループの画像の表示を差別化し、ユーザによる、自身が参加するグループと他のグループとの判別を容易にすることができる。
請求項１２の発明によれば、オンラインで行われる遠隔会議において単にグループが設定される構成と比較して、自身が参加するグループの画像を他のグループの画像よりも認識しやすくすることができる。
請求項１３の発明によれば、オンラインで行われる遠隔会議において単にグループが設定される構成と比較して、画像の表示態様の設定によりグループの判別を容易にし、自身が参加するグループの画像を他のグループの画像よりも認識しやすくすることができる。
【図面の簡単な説明】
【０００８】
【図１】本実施形態による遠隔会議システムの全体構成を示す図である。
【図２】サーバの機能構成を示す図である。
【図３】端末装置の機能構成を示す図である。
【図４】サーバの動作を示すフローチャートである。
【図５】端末装置の動作を示すフローチャートである。
【図６】グループ設定画面の例を示す図である。
【図７】グループ設定画面の他の例を示す図である。
【図８】音量設定画面の例を示す図である。
【図９】画像設定画面の例を示す図である。
【発明を実施するための形態】
【０００９】
以下、添付図面を参照して、本発明の実施の形態について詳細に説明する。
【００１０】
＜システム構成＞
図１は、本実施形態による遠隔会議システムの全体構成を示す図である。遠隔会議システムは、サーバ１００と、会議参加者が用いる端末装置２００とを備える。サーバ１００と端末装置２００とは、ネットワーク３００を介して接続されている。ネットワーク３００は、遠隔会議の実現において各装置の間のデータ通信に用いられる通信ネットワークであれば特に限定されず、例えばＬＡＮ（Local Area Network）、ＷＡＮ（Wide Area Network）、インターネット等として良い。データ通信に用いられる通信回線は、有線か無線かを問わず、これらを併用しても良い。また、ゲートウェイ装置やルータ等の中継装置を用い、複数のネットワークや通信回線を介して各装置を接続するように構成しても良い。ネットワーク３００の回線またはその一部として電話回線を用いても良い。
【００１１】
＜サーバの機能構成＞
図２は、サーバ１００の機能構成を示す図である。サーバ１００は、送受信部１１０と、グループ管理部１２０と、データ処理部１３０とを備える。サーバ１００は、複数の端末装置２００間の通信を制御して、遠隔会議を支援するための処理を実行する。サーバ１００は、単体のサーバマシンにより実現しても良いし、複数のハードウェアによる分散処理により実現しても良い。また、インターネット上のいわゆるクラウド・サーバとして実現しても良い。
【００１２】
送受信部１１０は、ネットワーク３００を介して複数の端末装置２００と接続し、端末装置２００において取得される音声データおよび画像データを送受信する。音声データとは、端末装置２００を使用するユーザ（会議参加者）の発話音声を含む音声のデジタルデータである。画像データとは、端末装置２００を使用するユーザ（会議参加者）の画像を含む動画または静止画のデジタルデータである。画像データが動画である場合、画像と音声が合成された動画データとして送受信しても良い。また、送受信部１１０は、端末装置２００からグループ設定情報を受信する。グループ設定情報とは、端末装置２００において設定される会議参加者のグループを示す情報である。グループおよびグループ設定情報の詳細については後述する。送受信部１１０は、サーバ１００がネットワーク３００に接続するためのネットワーク・インターフェイスを有する。
【００１３】
グループ管理部１２０は、会議においてグループが設定された場合に、会議参加者を設定されたグループごとに管理する。本実施形態では、各会議参加者が使用する端末装置２００の識別情報により会議参加者を管理するものとする。すなわち、各会議参加者が使用する端末装置２００をその会議参加者自身として管理する。以下、グループにおける端末装置２００は、そのグループに属す会議参加者を表すものとする。
【００１４】
ここで、グループとは、会議参加者により設定された、全会議参加者のうちの一部の会議参加者により構成される、会議参加者の集合である。グループには、１人以上の会議参加者が属す。また、各会議参加者は、複数のグループに属し得る。グループは、端末装置２００の操作により設定される。また、グループは、端末装置２００の操作の他、例えば、グループが設定された会議が終了すると消去される。グループの設定操作については後述する。グループ管理部１２０は、例えば、設定されたグループの識別情報とそのグループに属す会議参加者の端末装置２００の識別情報とを対応付けてテーブルに登録する等の手段によりグループと会議参加者とを管理する。
【００１５】
データ処理部１３０は、グループ管理部１２０を参照し、端末装置２００から受信した音声データおよび画像データ（または音声と動画が合成された動画データ）に、そのデータを送信した端末装置２００が属すグループの識別情報を付加する。以下、グループの識別情報を「グループ情報」と呼ぶ。
【００１６】
＜端末装置の機能構成＞
図３は、端末装置２００の機能構成を示す図である。端末装置２００は、音声取得部２１０と、画像取得部２２０と、送受信部２３０と、グループ情報保持部２４０と、音量制御部２５０と、音声出力部２６０と、画像制御部２７０と、画像表示部２８０と、操作受け付け部２９０とを備える。端末装置２００は、サーバ１００を介して遠隔会議に参加する他の端末装置２００と情報をやり取りする。端末装置２００は、例えば、パーソナル・コンピュータ（ＰＣ）、スマートフォンやタブレット型端末等の携帯端末装置、遠隔会議用に構成された専用端末等で実現される。
【００１７】
音声取得部２１０は、端末装置２００を使用する会議参加者の発話音声を含む音響情報を取得する。取得された音響情報は、デジタル・データとしてサーバ１００へ送られる。音声取得部２１０としては、例えば、端末装置２００に設けられたマイクロフォンを用いても良いし、端末装置２００とは別に設けられたマイクロフォンで取得した音声データを、ＵＳＢ（Universal Serial Bus）等によるデータ転送手段により受信するように構成しても良い。
【００１８】
画像取得部２２０は、端末装置２００を使用する会議参加者の画像を含む画像情報を取得する。画像は、動画であっても良いし、静止画であっても良い。画像が動画である場合は、例えば、音声取得部２１０により取得された音声が合成される。また、画像が動画である場合、動画フォーマットによる動画データの他、一定時間ごとに撮影された時系列の静止画データの集合によるデータ構成としても良い。取得された画像は、デジタル・データとしてサーバ１００へ送られる。画像取得部２２０としては、例えば、端末装置２００に設けられたカメラを用いても良いし、端末装置２００とは別に設けられたカメラで取得した画像を、ＵＳＢ等によるデータ転送手段により受信するように構成しても良い。
【００１９】
送受信部２３０は、ネットワーク３００を介してサーバ１００と接続し、音声データおよび画像データを送受信する。具体的には、送受信部２３０は、音声取得部２１０により取得した音声データおよび画像取得部２２０により取得した画像データをサーバ１００へ送信する。また、送受信部２３０は、複数の会議参加者の端末装置２００により取得された音声データおよび画像データをサーバ１００から受信する。送受信部２３０は、音声データ受信手段の一例であり、画像データ受信手段の一例であり、受信手段の一例である。ここで、取得される音声データおよび画像データには、自装置がサーバ１００へ送信したデータも含まれる。サーバ１００から取得する音声データおよび画像データには、会議においてグループが設定されている場合、各端末装置２００が属すグループのグループ情報が付加されている。
【００２０】
また、送受信部２３０は、端末装置２００においてグループの設定が行われた場合に、グループ設定情報をサーバ１００へ送信する。一方、送受信部２３０は、他の端末装置２００においてグループの設定が行われた場合に、グループ設定情報をサーバ１００から受信する。送受信部２３０は、例えば、端末装置２００に設けられた無線通信装置やネットワーク・インターフェイスにより実現される。
【００２１】
グループ情報保持部２４０は、サーバ１００から受信した音声データおよび画像データにグループ情報が付加されている場合、このグループ情報を抽出し、その音声データおよび画像データの送信元である端末装置２００と対応付けて保持する。グループ情報保持部２４０は、例えばＲＡＭ（Random Access Memory）等のメモリやハードディスク装置により実現される。グループ情報保持部２４０は、グループ情報保持手段の一例である。
【００２２】
音量制御部２５０は、サーバ１００から受信した音声データによる出力音声の音量を制御する。音量制御部２５０は、グループ情報に基づくグループごとに出力音声の音量を独立に制御する。音量制御部２５０は、少なくとも自装置のユーザ（会議参加者）が属すグループと他のグループとで異なる音量となるように、出力音声の音量を制御する。例えば、音量制御部２５０は、自装置のユーザ（会議参加者）が含まれるグループの音声を他のグループの音声よりも大きくする。また、音量制御部２５０は、グループごとに個別に、出力音声の音量の設定を受け付け可能としても良い。この場合、後述する操作受け付け部２９０により音量の設定操作を受け付け、音量制御部２５０は、受け付けた操作に応じてグループごとの音量を個別に制御する。このような構成とすれば、会議参加者は、会議において設定されたグループごとに、自身の好みに応じて手動で出力音声の音量を設定し得る。音量制御部２５０は、例えばプログラム制御されたＣＰＵ等の演算装置により実現される。音量制御部２５０は、音量制御手段の一例である。
【００２３】
音声出力部２６０は、音量制御部２５０の制御により、サーバ１００から受信した音声データの音声を出力する。そして、音声出力部２６０は、会議においてグループが設定されている場合、自装置のユーザ（会議参加者）が属すグループの音声と他のグループの音声とを異なる音量で出力する。一例として、音声出力部２６０は、自装置のユーザ（会議参加者）が含まれるグループの音声を他のグループの音声よりも大きい音量で出力する。また、音量制御部２５０がユーザ（会議参加者）による音量設定に応じて出力音声の音量を制御する場合は、グループごとに個別に設定された音量で音声を出力する。音声出力部２６０は、例えば端末装置２００に設けられた、または端末装置２００に接続されたスピーカにより実現される。音声出力部２６０は、音声出力手段の一例である。
【００２４】
画像制御部２７０は、サーバ１００から受信した画像データに基づく画像の表示態様を制御する。画像制御部２７０は、グループ情報に基づくグループごとに画像の表示態様を独立に制御する。画像制御部２７０は、少なくとも自装置のユーザ（会議参加者）が属すグループと他のグループとで異なる表示態様となるように、画像の表示制御を行う。例えば、画像制御部２７０は、自装置のユーザ（会議参加者）が含まれるグループの画像よりも他のグループの画像の視認性を低下させるように表示態様を制御する。画像の視認性を低下させるために用いる手法は特に限定しないが、例えば、画像のピントをぼかす、画像の明るさを落とす、画像のコントラストを下げる、画像の彩度を落とす等の手法が考えられる。また、画像制御部２７０は、グループごとに個別に、画像の表示態様の設定を受け付け可能としても良い。この場合、後述する操作受け付け部２９０により画像の表示態様の設定操作を受け付け、画像制御部２７０は、受け付けた操作に応じてグループごとの画像の表示態様を個別に制御する。このような構成とすれば、会議参加者は、会議において設定されたグループごとに、自身の好みに応じて手動で画像の表示態様を設定し得る。画像制御部２７０は、例えばプログラム制御されたＣＰＵ等の演算装置により実現される。画像制御部２７０は、画像制御手段の一例である。
【００２５】
また、画像制御部２７０は、端末装置２００のユーザ（会議参加者）による操作を受け付けるための操作画面を画像表示部２８０に表示させる。操作画面は、端末装置２００が受け付ける操作の種類に応じて用意される。例えば、グループを設定する操作のために用いられるグループ設定画面、グループごとの出力音声の音量を設定する操作のために用いられる音量設定画面、グループごとの画像の表示態様を設定する操作のために用いられる画像設定画面などが用意される。
【００２６】
画像表示部２８０は、画像制御部２７０の制御により、サーバ１００から受信した画像データに基づく会議参加者の画像を表示する。そして、画像表示部２８０は、会議においてグループが設定されている場合、自装置のユーザ（会議参加者）が属すグループの画像と他のグループの画像とを異なる表示態様で表示する。一例として、画像表示部２８０は、自装置のユーザ（会議参加者）が含まれるグループの画像よりも他のグループの画像を視認性の低い表示態様で表示する。また、画像制御部２７０がユーザ（会議参加者）による設定に応じて画像の表示態様を制御する場合は、グループごとに個別に設定された表示態様で画像を表示する。画像表示部２８０は、例えば端末装置２００に設けられた、または端末装置２００に接続されたディスプレイ装置により実現される。画像表示部２８０は、表示手段の一例である。
【００２７】
操作受け付け部２９０は、端末装置２００のユーザ（会議参加者）が操作デバイスを用いて行う操作を受け付ける。操作受け付け部２９０は、例えばプログラム制御されたＣＰＵ等の演算装置により実現される。操作デバイスとしては、例えば、マウス等のポインティング・デバイス、キーボード、タッチ・パネル等が用いられる。ここで、画像表示部２８０は、画像制御部２７０の制御により操作画面を表示する。端末装置２００のユーザ（会議参加者）は、画像表示部２８０に表示された操作画面にしたがって操作デバイスを操作することにより、操作画面に応じた各種の入力操作を行うことができる。すなわち、画像表示部２８０および操作受け付け部２９０は、端末装置２００のユーザ（会議参加者）に、ＧＵＩ（Graphical User Interface）による操作手段を提供する。一例として、画像表示部２８０にグループ設定画面が表示された場合、このＧＵＩは、グループの設定操作を受け付ける。同様に、画像表示部２８０に音量設定画面が表示された場合、このＧＵＩは、グループごとに、出力音声の音量の設定操作を受け付ける。画像表示部２８０に画像設定画面が表示された場合、このＧＵＩは、グループごとに、画像の表示態様の設定操作を受け付ける。画像表示部２８０および操作受け付け部２９０は、音量設定操作受け付け手段の一例であり、表示態様設定操作受け付け手段の一例であり、グループ設定手段の一例であり、音量設定手段の一例であり、画像設定手段の一例である。
【００２８】
＜サーバの動作＞
図４は、サーバ１００の動作を示すフローチャートである。以下の動作例では、画像と音声とが合成された動画により遠隔会議が行われる場合を例として、サーバ１００の動作を説明する。サーバ１００は、端末装置２００からグループ設定情報を受信すると、取得したグループ設定情報をグループ管理部１２０に保存し、グループと端末装置２００（ユーザ）との対応を管理する（Ｓ４０１、Ｓ４０２）。そして、サーバ１００は、管理したグループ設定情報を、そのグループ設定情報の送信元以外の端末装置２００へ配信する（Ｓ４０３）。
【００２９】
また、サーバ１００は、端末装置２００から画像および音声を含む動画データを受信すると、グループ管理部１２０に問い合わせて、動画データの送信元の端末装置２００（ユーザ）が属すグループがあるか否かを調べる（Ｓ４０１、Ｓ４０４、Ｓ４０５）。該当するグループがある場合（Ｓ４０５でＹｅｓ）、データ処理部１３０が、対応するグループ情報を動画データに付加する（Ｓ４０６）。そして、サーバ１００は、グループ情報が付加された動画データを、遠隔会議に参加している全ての端末装置２００に配信する（Ｓ４０７）。一方、該当するグループがない場合（Ｓ４０５でＮｏ）、サーバ１００は、動画データにグループ情報を付加せずに、遠隔会議に参加している全ての端末装置２００に配信する（Ｓ４０７）。
【００３０】
なお上述したように、ここでは動画により遠隔会議が行われる例について説明したが、静止画および音声により遠隔会議が行われる場合、サーバ１００は、Ｓ４０４で静止画データおよび音声データを受信した場合に、Ｓ４０５でグループを調べる。そして、サーバ１００は、Ｓ４０６においてグループ情報を静止画データおよび音声データに付加し、Ｓ４０７においてグループ情報が付加された静止画データおよび音声データを端末装置２００に配信する。
【００３１】
また、音声のみにより遠隔会議が行われる場合、サーバ１００は、Ｓ４０４で音声データを受信した場合に、Ｓ４０５でグループを調べる。そして、サーバ１００は、Ｓ４０６においてグループ情報を音声データに付加し、Ｓ４０７においてグループ情報が付加された音声データを端末装置２００に配信する。
【００３２】
＜端末装置の動作＞
図５は、端末装置２００の動作を示すフローチャートである。端末装置２００は、サーバ１００からグループ設定情報を受信すると、受信したグループ設定情報をグループ情報保持部２４０に保存する（Ｓ５０１、Ｓ５０２）。
【００３３】
また、端末装置２００は、動画データを受信すると、受信した動画データからグループ情報を抽出し、グループ情報保持部２４０に保存されているグループ設定情報を参照して、その動画データの送信元である端末装置２００が属すグループを確認する（Ｓ５０１、Ｓ５０３、Ｓ５０４）。対応するグループがある場合（Ｓ５０５でＹｅｓ）、そのグループが自装置の属すグループであれば（Ｓ５０６でＹｅｓ）、端末装置２００の音量制御部２５０および画像制御部２７０は、自グループ（自装置が属すグループ）用に設定された音量と画像の表示態様とで、その動画を出力する（Ｓ５０７）。一方、動画データの送信元である端末装置２００が属すグループが自グループでない場合（Ｓ５０６でＮｏ）、端末装置２００の音量制御部２５０および画像制御部２７０は、自グループ以外のグループ（他グループ）用に設定された音量と画像の表示態様とで、その動画を出力する（Ｓ５０８）。ここで、他グループが複数存在し、他グループごとに個別に音量や画像の表示態様が設定されている場合、端末装置２００は、該当する他グループ用に設定された音量と画像の表示態様とで、その動画を出力する。
【００３４】
また、動画データの送信元である端末装置２００が属すグループがない場合（Ｓ５０５でＮｏ）、端末装置２００の音量制御部２５０および画像制御部２７０は、自グループ用に設定された音量と画像の表示態様とで、その動画を出力する（Ｓ５０７）。ここで、動画データの送信元である端末装置２００が属すグループがない場合としては、動画データから抽出されたグループ情報に該当するグループがない場合と、動画データにグループ情報が付加されていない場合とがある。後者の場合、さらに、動画データの送信元である端末装置２００が何れのグループにも属していない場合と、グループ設定が行われていない場合とがある。
【００３５】
なお上述したように、ここでは動画により遠隔会議が行われる例について説明したが、静止画および音声により遠隔会議が行われる場合、端末装置２００は、Ｓ５０３で静止画データおよび音声データを受信した場合に、Ｓ５０４でグループ情報の抽出、グループの確認を行う。そして、端末装置２００は、確認したグループが自グループであれば、Ｓ５０７において、自グループ用に設定された音量と画像の表示態様とで、静止画および音声を出力する。一方、確認したグループが他グループであれば、Ｓ５０８において、該当する他グループ用に設定された音量と画像の表示態様とで、静止画および音声を出力する。
【００３６】
また、音声のみにより遠隔会議が行われる場合、端末装置２００は、Ｓ５０３で音声データを受信した場合に、Ｓ５０４でグループ情報の抽出、グループの確認を行う。そして、端末装置２００は、確認したグループが自グループであれば、Ｓ５０７において、自グループ用に設定された音量で音声を出力する。一方、確認したグループが他グループであれば、Ｓ５０８において、該当する他グループ用に設定された音量で音声を出力する。
【００３７】
＜操作画面の例＞
次に、端末装置２００における操作に用いられる操作画面について説明する。ここでは、操作画面の一例として、グループ設定画面、音量設定画面、画像設定画面について説明する。
【００３８】
図６は、グループ設定画面の例を示す図である。図６に示す例では、端末装置２００の画像表示部２８０に、会議参加者の画像が表示されている。図示のグループ設定画面では、９人の会議参加者の画像（以下、参加者画像）Ｙ−１〜Ｙ−９が示されている。各参加者画像Ｙ−１〜Ｙ−９は、各会議参加者の端末装置２００の画像取得部２２０により取得された画像を加工して得られたものである。図６のグループ設定画面に示される参加者画像Ｙ−１〜Ｙ−９のうち、参加者画像Ｙ−５は、このグループ設定画面が表示されている端末装置２００（自装置）のユーザを示す画像であり、他の参加者画像Ｙ−１〜Ｙ−４、Ｙ−６〜Ｙ−９とは区別して表示されている。図示のグループ設定画面において、参加者画像Ｙ−１〜Ｙ−９は、不規則に配置されている。グループ設定画面における参加者画像Ｙ−１〜Ｙ−９の配置は、図示の例に限定されず、例えば縦横に格子状に並べて配置しても良い。参加者画像Ｙ−１〜Ｙ−９の加工やグループ設定画面における配置は、例えば、グループ設定画面を表示する端末装置２００の画像制御部２７０が行う。
【００３９】
図６に示すグループ設定画面においてグループ設定操作が行われると、操作にしたがって会議参加者がグループに分けられる。図６に示す例では、参加者画像Ｙ−１〜Ｙ−４を含むグループＧ−１と、参加者画像Ｙ−５〜Ｙ−９を含むグループＧ−２とに分けられている。グループ設定操作では、全ての会議参加者に関して任意のグループに分けることを認めても良いし、各端末装置２００に対して、自装置のユーザ（会議参加者）を含むグループの設定のみを認めるような制限を課しても良い。グループ設定操作は、グループ設定画面に表示された参加者画像を仕切る操作であれば何でも良く、具体的な操作方法は特に限定されない。例えば、ポインティング・デバイスを用いて、グループ設定画面に表示された参加者画像を仕切る線を引くことにより行っても良い。また、ポインティング・デバイスやキーボードを用いて、グループごとに所属させる会議参加者の参加者画像を指定することにより行っても良い。
【００４０】
グループの設定操作において、一つのグループを設定した場合、設定されたグループに含まれない会議参加者は、他の一つのグループを構成するものとする。例えば、図６に示すグループ設定画面において、参加者画像Ｙ−１〜Ｙ−４を含むグループＧ−１が設定された場合、残りの参加者画像Ｙ−５〜Ｙ−９を含むグループＧ−２が自動的に生成される。また、図６に示す状態において、例えば参加者画像Ｙ−１〜Ｙ−３を含むグループが設定されると、参加者画像Ｙ−４のみで構成される新たなグループが設定される。
【００４１】
図６に示す例においては、各会議参加者（参加者画像Ｙ−１〜Ｙ−９）が、それぞれ一つのグループに属している。これに対し、一人の会議参加者が複数のグループに属すことを許しても良い。例えば、図６において参加者画像Ｙ−２、Ｙ−５、Ｙ−６を含む新たなグループを設定する場合に、参加者画像Ｙ−２をグループＧ−１から切り分け、参加者画像Ｙ−５、Ｙ−６をグループＧ−２から切り分けるのではなく、それぞれのグループに属したまま、新たなグループを設定するようにしても良い。
【００４２】
図７は、グループ設定画面の他の例を示す図である。図７に示す例では、図６に示したグループＧ−１、Ｇ−２に重ねてグループＧ−３が設定されている。このため、参加者画像Ｙ−２の会議参加者はグループＧ−１およびグループＧ−３に属し、参加者画像Ｙ−５、Ｙ−６の会議参加者はグループＧ−２およびグループＧ−３に属すこととなる。複数のグループに属す会議参加者の音声の音量は、例えば、その会議参加者が属すグループのうちで最も大きい音量を適用する。また、複数のグループに属す会議参加者の画像の表示態様は、例えば、その会議参加者が属すグループのうちで最も視認性が高い表示態様を適用する。
【００４３】
なお、図６、７に示したグループ設定画面は、各会議参加者の画像および各会議参加者が属すグループが明示されるため、遠隔会議中の標準の画面として用いても良い。また、遠隔会議中の標準の画面として用いる際には新規のグループ設定を制限しても良い。この場合、新規のグループ設定を行うには、例えばポップアップ・メニューの操作等によりグループ設定操作の制限を解除することにより操作を受付可能とすれば良い。
【００４４】
図８は、音量設定画面の例を示す図である。図８に示す例では、グループＧ−１、グループＧ−２の各々に、個別に音量操作用のオブジェクト２８１が表示されている。端末装置２００のユーザは、このオブジェクト２８１を操作して、グループごとに設定可能な範囲で所望の音量を設定し得る。また、図８に示す例において、自装置のユーザ（会議参加者）の参加者画像の外枠を太線で記載している。すなわち図示の例で、自装置のユーザはグループＧ−２に属している。この場合、グループＧ−２で設定可能な音量の範囲に対して、自装置のユーザが属していないグループＧ−１で設定可能な音量の範囲を制限しても良い。なお、グループが設定された後、端末装置２００のユーザによる操作が行われる前の状態においては、自装置のユーザが属すグループ（図８の例ではグループＧ−２）の音量が他のグループの音量よりも大きくなるように初期設定が行われるようにしても良い。
【００４５】
図８に示す音量設定画面では、図６、７に示したグループ設定画面に対して、各参加者画像がグループごとに整然と配置されている。このように、音量設定画面においては、個別に音量設定を行う対象のグループを認識しやすいように参加者画像の配置を変更しても良い。また、参加者画像の配置は遠隔会議中の標準の画面のままで、グループごとにポップアップ表示等で音量操作用のオブジェクトを表示し、音量の設定操作を受け付けるようにしても良い。遠隔会議中の標準の画面から音量設定画面への移行は、例えばポップアップ・メニューの操作等により音量設定画面への移行を選択することにより行われる。
【００４６】
図９は、画像設定画面の例を示す図である。図９（Ａ）は参加者画像の表示態様設定用のオブジェクトを示す図、図９（Ｂ）はグループごとに異なる表示態様が設定された様子を示す図である。画像設定画面では、例えば図９（Ｂ）に示すような画面上で表示態様の設定対象であるグループを選択し、図９（Ａ）に示すような設定用のオブジェクト２８２を表示させる。グループの選択およびオブジェクト２８２の表示は、例えばグループ内の適当な場所をポインティング・デバイスで指示し、ポップアップ・メニューの操作により機能を選択することにより行われる。図９（Ａ）に示すオブジェクト２８２は、参加者画像に対する選択可能な表示態様が並べて表示され、ラジオボタンで選択できるようになっている。図示の例では、図９（Ａ）のオブジェクト２８２で上から２番目の表示態様が選択され、図９（Ｂ）に示すようにグループＧ−１に属す参加者画像に反映されている。なお、オブジェクト２８２は、例えば図９（Ｂ）に示す画像設定画面上に重ねて表示しても良いし、画像表示部２８０の表示画面上で、画像設定画面の表示ウィンドウとは別のウィンドウとして表示しても良い。
【００４７】
図９に示す画像設定画面は、図８に示した音量設定画面と同様に、各参加者画像がグループごとに整然と配置されているが、参加者画像を遠隔会議中の標準の画面のままの配置としても良い。遠隔会議中の標準の画面から画像設定画面への移行は、例えばポップアップ・メニューの操作等により画像設定画面への移行を選択することにより行われる。なお、図９に示す例において、自装置のユーザ（会議参加者）の参加者画像の外枠を太線で記載している。すなわち図示の例で、自装置のユーザはグループＧ−２に属している。この場合、グループＧ−２で選択可能な参加者画像の表示態様に対して、自装置のユーザが属していないグループＧ−１で選択可能な参加画像の表示態様を制限しても良い。
【００４８】
図４および図５に示した動作例では、動画により遠隔会議が行われる場合を例として説明したが、上述したように本実施形態による遠隔会議は、静止画および音声により行っても良いし、音声のみにより行っても良い。動画により遠隔会議が行われる場合、図６〜図９を参照して説明した参加者画像としては、各会議参加者の端末装置２００から送られた動画が用いられる。参加者画像としての動画は、端末装置２００の画像表示部２８０に複数の会議参加者の画像が表示可能となるように縮小して表示される。
【００４９】
静止画および音声により遠隔会議が行われる場合、図６〜図９を参照して説明した参加者画像としては、各会議参加者の端末装置２００から送られた静止画が用いられる。参加者画像としての静止画は、端末装置２００の画像表示部２８０に複数の会議参加者の画像が表示可能となるように縮小して表示される。また、会議参加者の端末装置２００から参加者画像として用いるための静止画が送られなかった場合、参加者画像として、初期設定で指定された画像（初期設定画像）を表示する構成としても良い。この場合、予め個々の会議参加者を特定する画像が用意されていれば、この画像を初期設定画像として用いても良い。会議参加者を特定する画像が用意されていない場合、会議参加者を表す個性のない画像と共に個々の会議参加者を特定する識別情報（名前、ＩＤ等）を表示することで参加者画像としても良い。
【００５０】
音声のみにより遠隔会議が行われる場合、図６〜図９を参照して説明した参加者画像としては、初期設定で予め指定された各会議参加者を表す画像が用いられる。この画像は、各会議参加者を表す画像であれば良く、画像の種類は特に限定されない。例えば、会議参加者を撮影した写真であっても良いし、各参加者を特定するキャラクタ画像やアイコンを用いても良い。また、会議参加者を表す個性のない画像と共に個々の会議参加者を特定する識別情報（名前、ＩＤ等）を表示することで参加者画像としても良い。
【００５１】
以上、本発明の実施形態について説明したが、本発明の技術的範囲は上記実施形態には限定されない。例えば、上記の実施形態では、主に画像と音声とが合成された動画により遠隔会議が行われる場合を例として説明したが、音声のみで行われる遠隔会議においても上述したグループごとの音量制御や、会議参加者を示す画像（静止画やアイコン等）に対して表示態様の制御を行い得る。この場合、サーバ１００のデータ処理部１３０は、端末装置２００から取得した音声データに対する処理を行う処理手段として機能する。
【００５２】
また、各種の設定画面の構成は例示に過ぎず、会議参加者のグループ設定やその表示、グループごとの音量制御、グループごとの画像の表示態様の制御が可能であれば、他の様々な構成によるユーザ・インターフェイスを用い得る。その他、本発明の技術思想の範囲から逸脱しない様々な変更や構成の代替は、本発明に含まれる。
【符号の説明】
【００５３】
１００…サーバ、１１０…送受信部、１２０…グループ管理部、１３０…データ処理部、２００…端末装置、２１０…音声取得部、２２０…画像取得部、２３０…送受信部、２４０…グループ情報保持部、２５０…音量制御部、２６０…音声出力部、２７０…画像制御部、２８０…画像表示部、２９０…操作受け付け部、３００…ネットワーク
【図１】
2020028084.tif 000003
【図２】
2020028084.tif 000004
【図３】
2020028084.tif 000005
【図４】
2020028084.tif 000006
【図５】
2020028084.tif 000007
【図６】
2020028084.tif 000008
【図７】
2020028084.tif 000009
【図８】
2020028084.tif 000010
【図９】
2020028084.tif 000011